(57)【要約】グリースまたは他の流出物を回収するための封込めアセンブリ（１０）は、積層形態で配置された分離フィルタ（３０）、中央フィルタ（３２）、および障壁層（３４）の形態の流出物濾過および捕捉素材の積層複合体（１２）を備える。分離フィルタ（３０）および中央フィルタ（３２）は、ポリプロピレン素材からなり、またそれぞれは異なる多孔性を有することが好ましい。分離フィルタ（３０）、中央フィルタ（３２）、および障壁層（３４）は、頂部（３６）および底部（３８）スペーサ層の間に積層形態で配置されることが好ましい。複合体（１２）は、フレームアセンブリ（１４）内に収容される。流出物封込めアセンブリ（１０）はまた、機器（１８）または他の流出物ソースから流出物を偏向させるための堰止め（１６）と、保護される屋根や他の表面に比べて高い位置の機器（１８）または他の流出物のソースにフレームアセンブリ（１４）を固定するためアセンブリ（１６）と、複合体（１２）をフレームアセンブリ（１４）内に保持するためのポールアセンブリ（１００，１０２）と、複合体（１２）を風のある状態で一体的に保持するためのウインドバーアセンブリ（２００）とを備える。
2004500532.tif 000002
【特許請求の範囲】
【請求項１】
素材の積層複合体を備えた、流出物を回収するための封込めアセンブリであって、前記積層複合体は、
（ａ）流出物の通過を許容するに十分な多孔性を有する素材を備えた、流出物を吸収し、且つ流出物と共に存在する水分のうち少なくとも幾分かをはじくための分離フィルタ層と、
（ｂ）分離フィルタ層の素材の多孔性より少ない多孔性および分離フィルタ層の素材の流出物吸収率より大きい流出物吸収率を有する素材を備え、分離フィルタ層の下側に接触して配置された、分離フィルタ層によって吸収された流出物を吸収し、且つ分離フィルタを通過した流出物に含まれる水分の少なくとも幾分かをはじくための中央フィルタ層と、
（ｃ）中央フィルタ層の下側に接触して配置された、中央フィルタ層からの流出物の通過を実質的に防止するための障壁層と
を備えたことを特徴とする封込めアセンブリ。
【請求項２】
分離フィルタ層は、ポリプロピレン素材からなる請求項１の封込めアセンブリ。
【請求項３】
中央フィルタ層は、ポリプロピレン素材からなる請求項１の封込めアセンブリ。
【請求項４】
中央フィルタ層は、複数層のポリプロピレン素材からなる請求項１の封込めアセンブリ。
【請求項５】
障壁層は、実質的に不透水性素材からなる請求項１の封込めアセンブリ。
【請求項６】
障壁層は、ポリエチレンからなる請求項１の封込めアセンブリ。
【請求項７】
積層複合体は、頂部および底部スペーサ層を有し、頂部スペーサ層は、分離フィルタ層の上側に接触して配置され、底部スペーサ層は、障壁層の下側に接触して配置される請求項１の封込めアセンブリ。
【請求項８】
積層複合体は、火災遮蔽層を有する請求項１の封込めアセンブリ。
【請求項９】
積層複合体は、障壁層の下側に接触して配置された底部スペーサ層を有し、火災遮蔽層は、底部スペーサ層の下側に接触して配置されている請求項８の封込めアセンブリ。
【請求項１０】
火災遮蔽層は、シート状金属のシートである請求項８の封込めアセンブリ。
【請求項１１】
積層複合体は、流出物を放出する機器の一部を受けるための開口を、積層複合体が実質的にその一部を包囲するように規定する請求項１の封込めアセンブリ。
【請求項１２】
分離フィルタ層は、一対の整列セクションを有し、中央フィルタ層は、一対の整列セクションを有し、障壁層は、一対の整列セクションを有する請求項１の封込めアセンブリ。
【請求項１３】
各対の整列セクションの一方の整列セクションは、各対の整列セクションの他方の整列セクションのエッジに重複するエッジを有する請求項１２の封込めアセンブリ。
【請求項１４】
積層複合体は、流出物を放出する機器の一部を受けるための開口を、積層複合体が実質的にその一部を包囲するように規定する請求項１３の封込めアセンブリ。
【請求項１５】
障壁層は、一対の整列セクションを有する請求項１の封込めアセンブリ。
【請求項１６】
一方の整列セクションは、他方の整列セクションのエッジに重複するエッジを有する請求項１５の封込めアセンブリ。
【請求項１７】
積層複合体を受けるフレームアセンブリを更に備え、前記フレームアセンブリは、複数のフレーム部材と、複数のコーナ部材とを有し、各コーナ部材は、それぞれの対のフレーム部材にスライド可能に係合する請求項１の封込めアセンブリ。
【請求項１８】
フレームアセンブリは、複数の対の締結具を更に有し、各対の締結具は、コーナ部材をそれぞれの対の締結具に固定するためのものである請求項１７の封込めアセンブリ。
【請求項１９】
各フレーム部材は、概ねＣ−形状であり、そして底部部材と、頂部部材と、実質的にフレーム部材の長さ分延びる側部部材を有し、底部部材は、積層複合体を支持するために、頂部部材よりも更に延びている請求項１７の封込めアセンブリ。
【請求項２０】
積層複合体を支持するための少なくとも１つのポールアセンブリを更に備え、ポールアセンブリは、複合体の一方の側面上に格子パターンの位置を定める複数の保持ポールを有する請求項１の封込めアセンブリ。
【請求項２１】
ポールアセンブリは、複数のコネクタを更に備え、各コネクタは、一対の保持ポールを一体的に固定する請求項２０の封込めアセンブリ。
【請求項２２】
各コネクタは、柔軟性を有し、そして２対の孔を規定し、各対の孔は、保持ポールの１つを整列させ、それを受けるために適用される請求項２１の封込めアセンブリ。
【請求項２３】
積層複合体を受けるフレームアセンブリと、積層複合体をフレームアセンブリ内に固定するためのウインドバーアセンブリとを更に備え、ウインドバーアセンブリは、複数のウインドバーと、ウインドバーの各端部内に収容されたフレームストラップと、フレームストラップに係合し、かつフレームアセンブリに係合可能な複数の締結具とを備えた請求項１の封込めアセンブリ。
【請求項２４】
流出物を積層複合体上へ偏向させるための堰止めを更に備える請求項１の封込めアセンブリ。
【請求項２５】
フレームアセンブリと、フレームアセンブリを封込めアセンブリによって保護される表面よりも高い位置の機器に固定するための固定アセンブリとを更に備える請求項１の封込めアセンブリ。
【請求項２６】
固定アセンブリは、複数の長尺支持体と、長尺支持体を支持するための複数のねじ切りされたロッドとを備え、固定アセンブリは、複数のブラケットおよび取付板を更に備え、各コーナブラケットは、機器の一部に係合するためのものである請求項２５の封込めアセンブリ。
【請求項２７】
流出物を回収するために、素材の積層複合体と、この積層複合体を受けるためのフレームアセンブリとを備えた封込めアセンブリであって、フレームアセンブリは、複数のフレーム部材と、複数のコーナ部材とを有し、各コーナ部材は、それぞれの対のフレーム部材にスライド可能に係合するものであることを特徴とする封込めアセンブリ。
【請求項２８】
フレームアセンブリは、複数の対の締結具を更に有し、各対の締結具は、コーナ部材をそれぞれの対の締結具に固定するためのものである請求項２７の封込めアセンブリ。
【請求項２９】
フレームアセンブリは、コーナ部材をそれぞれの対のフレーム部材に係合させるための複数の湾曲したストリップを有し、各ストリップは、それぞれのコーナ部材に固定され、且つそれぞれのコーナ部材によって規定される２つの端部を有したチャネル内に配置され、各フレーム部材は、チャネルを規定し、ストリップの各端部は、それぞれのフレーム部材のチャネルによってスライド可能に受けられる請求項２７の封込めアセンブリ。
【請求項３０】
フレームアセンブリは、各フレーム部材に固定された一対の締結具を有し、各フレーム部材は、それぞれの締結具をスライド可能に受けるチャネルを規定し、締結具は、それぞれの締結具をそれぞれの対のフレーム部材に固定するためのものである請求項２７の封込めアセンブリ。
【請求項３１】
フレームアセンブリは、コーナ部材をそれぞれの対のフレーム部材に係合させるための複数の湾曲したストリップを有し、各ストリップは、一対の締結具によってそれぞれのコーナ部材に固定され、且つそれぞれのコーナ部材によって規定される２つの端部を有したチャネル内に配置され、ストリップの各端部は、それぞれのフレーム部材のチャネルによってスライド可能に受けられる請求項３０の封込めアセンブリ。
【請求項３２】
各コーナ部材は、一対のコーナアームを有し、各コーナアームは、それぞれの締結具を受けるための開口を規定する請求項３１の封込めアセンブリ。
【請求項３３】
各コーナ部材は、それぞれのフレーム部材の端部を隣接させ、フレーム部材をコーナ部材内に位置決めすることを容易にするための一対の隣接する表面を有する請求項２７の封込めアセンブリ。
【請求項３４】
各コーナ部材は、頂部表面を有する底部部材を有し、頂部表面は、頂部表面上に形成されている請求項３３の封込めアセンブリ。
【請求項３５】
各フレーム部材は、概ねＣ−形状であり、そして底部部材と、頂部部材と、実質的にフレーム部材の長さ分延びる側部部材を有し、底部部材は、積層複合体を支持するために、頂部部材よりも更に延びている請求項２７の封込めアセンブリ。
【請求項３６】
積層複合体を支持するための少なくとも１つのポールアセンブリを更に備え、ポールアセンブリは、複合体の一方の側部上に格子パターンの位置を定める複数の保持ポールを有する請求項２７の封込めアセンブリ。
【請求項３７】
ポールアセンブリは、複数のコネクタを更に備え、各コネクタは、一対の保持ポールを一体的に固定する請求項３６の封込めアセンブリ。
【請求項３８】
各コネクタは、柔軟性を有し、そして２対の孔を規定し、各対の整列した孔は、保持ポールの１つを整列させ、それを受けるために適用される請求項３７の封込めアセンブリ。
【請求項３９】
積層複合体をフレームアセンブリ内に固定するためのウインドバーアセンブリを更に備え、ウインドバーアセンブリは、複数のウインドバーと、ウインドバーの各端部内に収容されたフレームストラップと、フレームストラップに係合し、またフレームアセンブリに係合可能な複数の締結具とを有する請求項２７の封込めアセンブリ。
【請求項４０】
流出物を積層複合体上へ偏向させるための堰止めを更に備える請求項２７の封込めアセンブリ。
【請求項４１】
封込めアセンブリによって保護される表面よりも高い位置の機器にフレームアセンブリを固定するための上昇支持アセンブリを更に備える請求項２７の封込めアセンブリ。
【請求項４２】
固定アセンブリは、複数の長尺支持体と、長尺支持体を支持するための複数のねじ切りされたロッドとを備え、固定アセンブリは、複数のブラケットおよび取付板を更に備え、各コーナブラケットは、機器の一部に係合するためのものである請求項４１の封込めアセンブリ。
【発明の詳細な説明】
【０００１】
本発明は、換気システム、漏洩する機器または他のソースによって放出され、飛翔または漏洩するグリース、オイル、残渣または他の流出物を回収して廃棄するための包囲システムに関する。
【０００２】
［背景］
レストランや産業施設等の多くの施設は、例えば屋根取付型放出口のようなインテリアまたはエクステリア機器を通して、多量のグリースおよびオイルを放出する必要がある機器を使用する。放出されたグリースは、屋根や他の表面上に累積し、そして屋根素材、またはグリース放出口やこの放出口の設置に関連した他の機器を囲む表面素材を劣化させる。屋根素材の場合には、それらが典型的には金属、合成または有機素材であって、グリースに曝されると急速に劣化する。種々のタイプのグリース封込めアセンブリを放出口の回りに配置して、放出口または他の機器から放出されたグリースを捕捉し、回収することが知られている。しかしながら、従来のグリース封込めアセンブリよりも効率的な手法で、従来の封込めアセンブリよりも多くの量のグリースおよびオイルを吸収および捕捉する流出物封込めアセンブリが必要とされている。また、機器に対して迅速かつ容易に、そして必要であれば、上昇した形態で配置できる流出物封込めアセンブリに対する必要性もある。
【０００３】
放出グリースを回収するために、例えば米国特許第５，１９６，０４０号、５，３１８，６０７号および５，５１２，０７３号に開示されたグリース捕捉および濾過装置のような装置およびシステムの開発に対する努力がなされている。しかしながら、本発明は、これら従来の装置に対して多くの利益を与える包囲装置を提供することによって、これら従来のグリース捕捉および濾過装置を改善するものである。
【０００４】
この点に関して、本発明の１つの目的は、多量のグリース、オイル、残渣または他の流出物を効率的な手法で回収するための封込めアセンブリを提供することにある。
【０００５】
本発明の異なる目的は、流出物濾過および捕捉物質を堅固に受けるフレームアセンブリを備え、比較的組立が容易で、製造するにコストが効果的である流出物封込めアセンブリを提供することにある。
【０００６】
本発明の更に異なる目的は、高い位置で換気する機器または流出物を放出する他の機器に、比較的迅速且つ容易に固定できる流出物封込めアセンブリを提供することにある。
【０００７】
本発明の更に異なる目的は、フレーム構造を分解する必要なく、濾過および捕捉物質をフレームアセンブリから定期交換用に簡便に除去可能にする流出物封込めアセンブリを提供することにある。
【０００８】
［要約］
本発明は、分離フィルタ層、分離フィルタ層の下側に配置された中央フィルタ層、および中央フィルタ層の下側に配置された障壁層の形態で流出物濾過および捕捉素材の積層複合体を備えたグリースまたは他の流出物を回収するための封込めアセンブリを提供する。分離フィルタ層と中央フィルタ層は、それぞれが異なる多孔性を有することが望ましい。分離フィルタ層、中央フィルタ層および障壁層は、頂部および底部のスペーサ層の間に配置されてもよい。好ましい実施例では、この複合体は、後述するフレームアセンブリ内に収容される。
【０００９】
流出物封込めアセンブリの応用に依存して、この流出物封込めアセンブリは、例えば、キッチン換気システムの放出型電動換気扇、ＨＶＡＣ機器、排気スタック、漏洩するパイプ、発電器、モータ、エンジン、製造機器、産業機器等の、どのような機器またはどのような他の流出物のソースにも隣接して位置決めすることができる。フレームアセンブリは、そのような機器または他の流出物のソースを包囲または隣接するように、またはその近傍または下側に延びるように、位置決めすることができる。
【００１０】
必要であれば、本発明に係る流出物封込めアセンブリはまた、その機器または他の流出物ソースからの流出物を偏向させるための堰止め（堰止め、雨押え）と、保護されるべき屋根または他の表面に比べて高い位置のそのような機器または流出物ソースにフレームアセンブリを固定するためのアセンブリと、複合体を支持するためのポールアセンブリと、更に強風状況にあることが多いフレームアセンブリ内にフレームおよび積層複合体を固定するためのウインドバーアセンブリとを備えることもできる。
【００１１】
複合体の分離フィルタは、流出物と共に存在する水分のうち少なくとも幾分かをはじくために適用され、そして流出物の通過を許容するに十分な高い多孔性を有するものであることが好ましい。それはまた、紫外線被爆にさらすことによる複合体の劣化に抗するための紫外線阻害剤を含むことができる。好ましい実施例では、分離フィルタは、ポリプロピレンまたは他の適切な素材から形成される。
【００１２】
中央フィルタ層は、概ね分離フィルタ層の下側に接触した状態で配置され、そして分離フィルタ層を通過した流出物を吸収するために、且つその流出物に含まれる水分のうち少なくとも幾分かをはじくために適用される。中央フィルタ層は、分離フィルタ層の素材の多孔性より高い多孔性および分離フィルタ層の素材の流出物吸収率より大きい流出物吸収率を有する素材を備える。中央フィルタ層は、複数層のメルトブラウンのポリプロピレンから構成されることが好ましい。中央フィルタ層は、分離フィルタ層より少ない多孔性および大きい流出物吸収性を有する。この結果、中央フィルタ層は、分離フィルタ層によって吸収された流出物を引付けまたは吸収しようとする。
【００１３】
障壁層は、概ね中央フィルタ層の下側に接触して配置される。障壁層は、不通水性であり、そして水および流出物が屋根または他の表面に達することを防止するために適用される。それは、中央フィルタの他の部分に接触しようとする流出物の移動を容易にするために、滑らかな不浸透性素材で構成されることが望ましい。好ましい実施例では、障壁層は、完全にまたは実質的にポリエチレン、ポリプロピレンまたは他の適切な素材で形成される。分離および中央フィルタと障壁層は、プラスチックのとげ（バーブ）または他の締結具（ファスナー）、接着剤、または他の適切な手段によって、一体的に結合されることが好ましい。
【００１４】
頂部スペーサ層は、微粒子の破片を保持するために適用されるが、流出物および水分は容易に通過させる。底部スペーサ層は、分離および中央フィルタをたまり水の上方に離しておくために、且つ空気の循環と水分の蒸発を促進するために適用される。頂部および底部スペーサ層は、高度に多孔性であることが望ましく、また火災遅延ポリマーを含んでいてもよい。
【００１５】
好ましい実施例によると、積層複合体は、概ね底部スペーサ層の下側に接触して位置決めされた火災遮蔽層を有することができる。この火災遮蔽層は、発火した流出物またはそれに関連した火炎が屋根または他の表面に達することを防止することを意図されている。火災遮蔽層は、含浸ガラス繊維の織物、アルミナイジングされたガラス繊維の織物、亜鉛メッキされたシート状金属、または他の適切な素材から構成され得る。
【００１６】
本発明の好ましい実施例によるフレームアセンブリは、積層複合体を受けることが望ましい。このフレームアセンブリは、方形または矩形であり、そして複数の長尺なフレーム部材と、複数のコーナ部材とを備える。各コーナ部材は、一対のフレーム部材にスライド可能に係合し、望ましくは一対の締結具によってそこに固定されるために適用される。各フレーム部材は、締結具によってコーナ部材に固定された金属ストラップをスライド可能に受けるためのチャネルを規定することが好ましい。各フレーム部材は、複合体を支持するために適用される底部部材を有する。一対の表面は、各コーナアームの内壁に沿って規定され、それぞれのフレーム部材の端部に隣接して、フレーム部材をコーナ部材内に位置決めすることを容易にする。
【００１７】
積層複合体を支持するためのポールアセンブリは、複合体の頂部側面上に格子（グリッド）パターンの位置を定める複数の保持ポールと、複合体の底部側面上に格子パターンの位置を定める他の複数の保持ポールとを有する。保持ポールは、複数のコネクタまたはストラップによって格子パターンの位置を定めるように一体的に固定され、そして好ましくは積層複合体とフレーム部材との間に配置される。加えて、フレーム部材の底部は、保持ポールに対して複合材の底部で更なる支持を与える。ウインドバーアセンブリは、フレームアセンブリに固定されたか、さもなければ結合された複数のウインドバーを備える。ウインドバーは、フィルタがフレームアセンブリから吹き飛ばされることを防止するために、積層複合体の頂部を横切って延びることが好ましい。
【００１８】
堰止めは、放出型電動換気扇または他の機器に対し、ネジ、接着剤等の適切な手法によって締結される。流出物封込めアセンブリの応用に依存して、堰止めは、１以上のスライド部材と、必要であれば、１以上の堰止めコーナ部材とを有することができる。
【００１９】
必要であれば、積層複合体は、放出型電動換気扇または他の好適な機器を受けるための貫通開口を規定することができる。加えて、必要であれば、分離および中央フィルタそれぞれは、積層複合体を放出型電動換気扇または他の機器の周りに配置することを容易にするためのセクションを有することができる。それぞれのセクションは、封止目的のシームを形成するために重複するエッジを有することができる。
【００２０】
流出物回収アセンブリが屋根の上に配置されるときは、フィルタは、典型的には排水を許容する屋根の輪郭に追従することが望ましい。流出物と天候に起因する湿度とが共存する多くの例では、それらの組み合わせが中央フィルタに対して独特の状況を与える。中央フィルタは水をはじくので、水の密度より小さい密度を有する流出物は、水の頂部に浮遊する傾向がある。この水は、中央フィルタに沿って移動する経路を見出し、結局その側部から外に流れ出る。流出物は、水の頂部を移動し、そして中央フィルタ内に流れ込む。この結果は、流出物が屋根の輪郭にあまり関係しないで分離フィルタに接触しようとするときに、中央フィルタが迅速に流出物を引き込む独特の吸収特性になる。分離フィルタの開いた多孔性は、高い吸収性の中央フィルタと共に、この作用を分離フィルタの裏に作り出す。この２重吸収作用の結果は、分離フィルタが迅速に流出物を引き込むことを助ける。分離フィルタの素材組成は、それが水分をはじくことを可能にする。この水の一部は、分離フィルタの頂部表面に導入されたときに、このフィルタのエッジへの経路を見出し、そしてその側部から流れ出る。流出物は、分離フィルタを通して引き込まれ、そして中央フィルタに接触するので、流出物は、中央フィルタ内に吸収される。
【００２１】
本発明の好ましい実施例による流出物封込めアセンブリは、多くの利点を提供し、また多くの応用を有する。例えば、本発明による積層複合体は、比較的高い流出物吸収率を有し、且つ大量の流出物を保持することが可能である。積層複合体は、迅速且つ容易に、フレームアセンブリ内に緊密に固定できる。加えて、本発明によるフレームアセンブリは、組立が容易であり、また製造するに比較的コスト効果的である。それはまた、高い位置の機器に直ちに且つ容易に設置することができる。この流出物封込めアセンブリは、機器または他の流出物ソースから放出される流出物が損害を与える効果を最小化する。
【００２２】
本発明およびその利点は、添付の図面を伴ってなされる以下の詳細な説明を考慮することにより一層明らかとなる。
【００２３】
［好ましい実施例の詳細な説明］
図１は、本発明の好ましい実施例に関連した、グリースまたは他の流出物回収用の流出物封込めアセンブリ１０を示している。この流出物封込めアセンブリ１０は、流出物濾過および捕捉素材の積層複合体１２と、この積層複合体を受けるフレームアセンブリ１４と、放出された流出物を複合体上に偏向させるための堰止め１６とを備える。図１は、屋根放出型電動換気扇１８を囲む流出物封込めアセンブリ１０を示している。図示の積層複合体１２は、方形または矩形であり、そして機器の全てまたは一部、例えば放出型電動換気扇１８のベース２２を貫通させる貫通開口２０を規定し、流出物をそのベースの回りに下向きに放出する（例えば、図２，３を参照）。
【００２４】
図２〜４に示すように、積層複合体１２は、分離フィルタ層３０と、この分離フィルタ層の下側に接触して位置決めされた中央フィルタ層３２と、この中央フィルタ層の下側に接触して位置決めされた障壁層３４とを備える。分離および中央フィルタ３０および３２と障壁層３４は、頂部スペーサ層３６と底部スペーサ層３８との間に配置されている。分離および中央フィルタ３０および３２は、双方共にポリプロピレンで形成されていることが望ましい。分離フィルタ３０は、中央フィルタ３２よりも高い多孔性と低い流出物吸収率を有する。必要であれば、分離および中央フィルタ層３０および３２のそれぞれは、複合体１２を放出型電動換気扇１８または他の機器の回りに配置することを容易にするために、互いに噛み合うかさもなければ整列するように適用される２つのセクションを有することができる（例えば、図２，３を参照）。例えば、それぞれのフィルタ３０および３２の２つのセクションのエッジ４６は、隙間を回避して、シームを形成するために、互いに隣接して接触する（図２）か、互いに重なる（図３）ことができる。
【００２５】
分離フィルタ３０は、高度に多孔性であり、そしてスパンバウンド（ｓｐｕｎｂｏｕｎｄ）のポリプロピレン素材または同様の多孔性を有する他の素材により形成することが望ましい。分離フィルタ３０は、積層複合体１２が紫外線照射に起因して劣化することを防止または低減するために、紫外線阻害剤を含むことが望ましい。分離フィルタ３０に好適な素材の一例は、キンバリークラーク（Ｋｉｍｂｅｒｌｙ−Ｃｌａｒｋ）社の不織布部門から商業的に入手可能なスパンバウンドのポリプロピレン織物素材である。そのような素材の秤量は、２．５ｏｚ／ｓｑ．ｙｄであることが望ましい。
【００２６】
中央フィルタ３２は、分離フィルタ３０より多孔性が低く、望ましくはメルトブラウン（ｍｅｌｔｂｌｏｗｎ）のポリプロピレンで構成される。中央フィルタ３２に好適な素材の一例は、キンバリークラーク社の不織布部門から商業的に入手可能な疎水性メルトブラウンのポリプロピレン吸収剤（ｓｏｒｂａｎｔ）である。この素材は、２．０〜１２．０ｏｚ／ｓｑ。ｙｄの秤量範囲を有するメルトブラウンのポリプロピレンである。それは、未結合であったり、熱的ピン結合または機械的スプロケット結合したものである。この素材は、帯電防止剤で処理することができる。
【００２７】
図３の実施例では、中央フィルタ３２は、エッジを重ねながら積層形態で位置決めされたメルトブラウンのポリプロピレンの複数の、応用に依存した数の層を備える。キッチン換気システム用の典型的な設置では、例えば、４〜８層のメルトブラウンのポリプロピレンがばしば満足できるものになる。
【００２８】
障壁層３４は、滑らかな不浸透性素材から構成されることが望ましい。例えば、好ましい実施例では、それは９５％〜１００％のポリエチレンを含む。障壁層３４に好適な素材の一例は、テキサス州ヒューストンのリーフ・インダストリ（Ｒｅｅｆ  Ｉｎｄｕｓｔｒｉｅｓ）社から、商品名Ｐｅｒｍａｌｏｎ  Ｘ−１００として商業的に入手可能な素材であり、これは付録Ｂとして添付された印刷物中に記載されている。頂部および底部スペーサ層３６および３８は、多孔質の濾過素材、例えば発泡性ポリエステルまたは同様の多孔性を有する素材から構成されたフィルタである。障壁層３４はまた、一対の整列セクションを備え、必要であれば、エッジを重複させて漏洩防止シームを形成する（図２および３）。
【００２９】
望ましくは、積層複合体１２は更に、底部スペーサ層の下側に接触して位置決めされ、発火した流出物に関連した火炎が屋根の表面に達することを防止することを意図された火災遮蔽層４０を備える。この火災遮蔽層４０は、望ましくは火災遅延性であって、高温に耐えることができる適切な素材であることが望ましい。この素材は、例えば、シリコーンゴム含浸ガラス繊維の織物、アルミナイジングされたガラス繊維の織物、または２０〜２４ゲージの亜鉛メッキ鋼である。流出物封込めアセンブリ１０が機器の側部に搭載される本発明の実施例では（図２３ａ，２３ｂ参照）、火災遮蔽層４０は、シート状金属の形態であることが望ましい（図２４参照）。
【００３０】
好ましい実施例による積層複合体１２は、その構造に起因して、従来のグリース封込めアセンブリよりも速い率で、より均一な手法で流出物を吸収する。図示された放出型電動換気扇１８ような機器、あるいは他の流出物のソースによる流出物の放出中に、通常はグリースまたは他のオイルベースの流出物、水、または流出物と水の組み合わせの形態をとる液体が放出される。雨、雪または湿った空気のような他の湿気もまた存在することがある。
【００３１】
この液体は、最初はスペーサ層３６に接触して通過し、スペーサ層３６は、固形の破片を保持して、それが通過することを防止する。頂部スペーサ層３６を通過した流出物は、分離フィルタ３０によって吸収される。存在する水の一部は、分離フィルタ３０によってはじかれ、分離フィルタ３０の側部を通って屋根または他の表面上に落下する。中央フィルタ３２は、分離フィルタ３０よりは多孔質ではなく、しかも高い流出物吸収率を有するので、分離フィルタ３０によって吸収された流出物は、それから中央フィルタ３２よって吸収される。中央フィルタ３２は、その高い吸収率故に、流出物を分離フィルタ３０から中央フィルタ３２に引き付けようとする。分離フィルタ３０を通過した水は、中央フィルタ３２によってはじかれる。水の密度より小さい密度を有する流出物は、水の頂部上に浮遊する。分離フィルタ３０は、移動する水に対して摩擦を与えて、水が中央フィルタ３２の頂部から側部に流れる前に、分離フィルタ３０と中央フィルタ３２の双方が浮遊する流出物を吸収できるようにすることが望ましい。
【００３２】
障壁層３４は、そこを越えて流出物が通過することを防止する。加えて、障壁層３４は、その滑らかな表面に起因して、中央フィルタ３２のウィッキング効果を容易にする傾向がある。何故ならば、障壁層３４に接触する流出物は、中央フィルタ３２の他の部分によって吸収されるまで、障壁層３４に沿って移動しようとするからである。このようにして、障壁層３４は、流出物が均一な手法で吸収され、その結果複合体１２が大量の流出物を捕捉できるように、流出物を分布させようとする。障壁層３４はまた、屋根または他の表面からの水が上方に通過して、中央フィルタ３２と干渉することを防止する。更にまた、その滑らかな表面に起因して、障壁層３４の表面には、宣伝物または他の識別印が即時に印刷できる。底部スペーサ層３８は、分離および中央フィルタ３０および３２および障壁層３４を屋根または他の表面から離し、また障壁層３４の下側の空気循環を強化する。
【００３３】
本発明の好ましい実施例によれば、フレームアセンブリ１４は、図示の複合体１２を受ける。このフレームアセンブリ１４は、方形または矩形であるか、あるいは他の適切な形状を有することができる。図示のフレームアセンブリ１４は、４つの長尺なフレーム部材５０と、４つのコーナ部材５２とを備える。フレーム部材５０は、押出形成されたアルミニウム素材または他の適切な素材によって形成され、またコーナ部材５２は、射出成型された火災遅延性ポリプロピレン素材または他の適切な素材によって形成されることが好ましい。各コーナ部材５２は、一対のフレーム部材５０と係合する。
【００３４】
各フレーム部材５０は、概ねＣ−形状で、頂部部材５４と、底部部材５６と、頂部部材および底部部材を相互結合する側部部材６０とを含んでいる。底部部材５６は、頂部部材５４よりも更に延長され、複合体１２および後述する底部保持ポール１０２を支持するために適用される。側部部材６０は、フレーム部材５０の長手方向に沿ってチャネル７０を規定することが望ましい。好ましい実施例では、チャネル７０は内側に延び、そして隣接したサブチャネル７１および７３を含んだ概ねＴ−形状の断面を有する。
【００３５】
湾曲した金属ストリップ７６は、コーナ部材によって規定されるチャネル７５内で、一対のボルトおよびナット７２および７４によって各コーナ部材５２に固定されている。この湾曲した金属ストリップの各端部と、それぞれのボルト７２およびナット７４は、それぞれのフレーム部材５０のチャネル７０内に受け入れられ、ボルトは、サブチャネル７３内に受け入れられる。サブチャネル７３の高さは、ナット７４の幅と実質的に同じであって、ナットがボルト７２の締結中に回転しないようにすることが望ましい。底部保持ポール１０２は、チャネル７０と底部部材５６を規定する壁７８によって規定され、壁７８と底部部材５６によって係合される孔８０内に受け入れられる（図１３）。
【００３６】
各コーナ部材５２は、互いに約９０°の角度で延びた一対のコーナアーム８２と、コーナアーム８２に共に結合する丸み付けされたコーナ８４とを有する。各コーナアーム８２はまた、それぞれのフレーム部材５０をスライド可能に受けるために、概ねＣ−形状である。各コーナアーム８２は、ボルトおよびナット７２および７４を受けるための一対の開口８６を規定し、またナットの回転を防止するための一対の離れたストッパ９０を有する。図示のストッパ９０は、延長され、そして前面９２を有している。このストッパ９０は、フレーム部材をチャネル７５内に位置決めする間に、ナット７４が回転することを防止するために適用される。各コーナアーム８２の底部の頂部表面上には表面９４が形成され、それぞれのフレーム部材５０の端部に隣接して、コーナアーム内でのフレーム部材５０の位置決めを容易にする。
【００３７】
積層複合体１２は、フレーム部材５０とコーナ部材５２によって受けられ、そして更に、例えば、複合体の頂部側面上に格子パターンの位置を定める複数の頂部保持ポール１００と、複合体の底部側面上に格子パターンの位置を定める複数の底部保持ポール１０２のような適切な手法によって、フレームアセンブリ１４に固定される。頂部保持ポール１００の端部は、火災遮蔽層４０の頂部とフレーム部材５０の頂部部材５４との間に収容される。底部保持ポールの端部は、積層複合体１２の底部とフレーム部材５０の底部部材５６との間に収容される。保持ポール１００および１０２は、プラスチック等から構成される。
【００３８】
保持ポールは、複数のコネクタによって一体的に格子パターンに固定される。好ましい実施例では、例えば、頂部保持ポール１００のコネクタは、コネクタ１１０によって一体的に固定され、また底部保持ポールは、タイ１１２によって一体的に接続される。各コネクタ１１０は、フレキシブルな素材、例えば、ポリウレタンによって形成され、そして一対の頂部保持ポール１００に係合するように適用される。湾曲していない状態では交差した構成を有するコネクタ１１０は、４つのアーム１２０を有する。それぞれのアームは、コネクタが湾曲されて頂部保持ポールに係合した後に、頂部保持ポール１００の対の１つを受けるための孔１２２を規定する。図示のコネクタ１１０は、複数の孔１２４を規定して、コネクタの湾曲を容易にする。
【００３９】
好ましい実施例では、底部保持ポール１０２のタイ１１２のそれぞれは、リブ付き脚部１１４とスロット付きキャッチ１１６とを備える。各タイ１１２のリブ付き脚部１１４は、それぞれのスロット付きキャッチ１１６を通して供給され、そしてタイ１１２を図示のように底部保持ポールの回りに巻き付けることによって、一対の底部保持ポール１０２を係合する。タイ１１２は、適切な素材、例えばポリウレタン等によって形成される。
【００４０】
図１に示された堰止め１６は、４つの堰止め側部部材１４０と、４つの堰止めコーナ部材１４２とを備え、放出型電動換気扇１８または他の機器に適切な手法で締結される。各堰止め側部部材１４０は、流出物を放出型電動換気扇１８または他の機器から下向きおよび外向きに指向させるために適用される傾斜部分１５０によって相互接続され、垂直に延びた頂部および底部フランジ１４４および１４６を有する。頂部フランジ１４４は、放出型電動換気扇のベースまたは排気スタックまたは他の適切な機器に対し、適切な手法、例えばネジ１５２、接着剤等によって締結される。図示の実施例では、底部フランジ１４４は、剛性を増加し、且つ先鋭なエッジが露出することを避けるために、後向きに曲げられている。堰止めコーナ部材１４２は、丸められているか、さもなければ堰止め側部部材１４０の断面と同じ断面を有する。堰止めコーナ部材１４２は、適切な手法、例えばネジ１５２、接着剤等によって堰止め側部部材１４０に固定されても良い。流出物封込めアセンブリ１０の応用に依存して、必要であれば、堰止めコーナ部材１４２は省略されても良い（図３１参照）。図２３ａおよび２３ｂでは、放出型電動換気扇のベースに側部搭載式ユニットを取り付けるために、例えば、単一の堰止め側部部材１４８だけが使用されている。
【００４１】
本発明の好ましい実施例による流出物封込めアセンブリ１０は、多くの応用を有する。その応用に依存して、それは、多数の異なるタイプのオイルベースの流出物、例えば、グリース、オイル、動物の脂肪、石油ベースの流出物、種々の他の残査、および種々の化学薬品、および可能性のある他のタイプの流出物を回収することに使用できる。加えて、その応用に依存して、流出物封込めアセンブリ１０は、動作の通常の部分として、あるいは漏洩等に起因して流出物を放出する如何なるタイプの機器または他のソースにも隣接して位置決めすることができる。例えば、流出物封込めアセンブリ１０は、グリース放出口、扇風機、種々のＨＶＡＣ機器、発電器、モータ、製造機器、産業機器、エンジン、パイプまたは噴水口に隣接して位置決めすることができる。流出物封込めアセンブリ１０はまた、そのような機器または他のソースの全てまたは一部を包囲したり隣接して、あるいはそれに近接したりその下側に延びるように位置決めすることができる。
【００４２】
加えて、必要であれば、フレームアセンブリ１４は、屋根または他の表面に比べて高い位置の放出型電動換気扇または他の機器に適切な手段で固定され、そしてそれにより支持されることができる。好ましい実施例では、例えば、フレームアセンブリ１４は、一対のねじ切りされたロッド１６２によって支持され、コーナブラケット１６４によって放出型電動換気扇１８に固定された一対の長尺支持体１６０によって支持されることができる。図２５〜２７の実施例では、図示のコーナブラケット１６４の頂部および底部端部は、概ねＬ−形状である。各コーナブラケット１６４は、放出型電動換気扇１８に係合するための一対の係合表面１７０と、ねじ切りされたロッド１６２と長尺支持体１６０の一つに係合するために換気扇から延びた舌片１７２とを有する。舌片１７２のそれぞれは、ねじ切りされたロッド１６２の一つを受けるために適用される孔１７４と、長尺支持体１６０用のハードウエア１９２を受けるために適用される孔１７６とを規定する。
【００４３】
好ましい実施例では、コーナブラケット１６４のそれぞれは、最初に、放出型電動換気扇１８または他の機器のコーナ１８２に、コーナブラケット１６４の係合表面１７０が機器のコーナに係合するように、位置決めされている。必要であれば、コーナブラケットを最初に所望の高さに固定するために、係合表面に両面テープが使用できる。ねじ切りされたロッド１６２は、コーナブラケット１６４のそれぞれの孔１７４を通して挿入され、６角ナット１９０によってコーナブラケットに固定される。支持体１６０はそれから、支持体のそれぞれによって規定される長尺なチャネル１９４によってスライド可能に受け入れられる締結具１９２によって、コーナブラケット１６４に固定される。フレームアセンブリ１４はそれから、締結具１９８によって支持体１６０の端部内に受け入れられる傾斜ブラケット１９６によって、支持体に固定される。
【００４４】
加えて、必要であれば、積層複合体１２の頂部を横切って延びた状態でウインドバーアセンブリ２００をフレームアセンブリ１４に固定することによって、フィルタがフレームアセンブリ１４から吹き飛ばされることを防止し、またフレームアセンブリが屋根またた他の表面から吹き飛ばされることを防止しても良い。図示の実施例では、ウインドバーアセンブリ２００は、２以上のウインドバー２０２（図３３および３４）と、このウインドバーの各端部内の受け入れられたフレームストラップ２０４と、このフレームストラップに係合し、且つフレームストラップおよびフレーム部材５０と係合するために、フレーム部材５０のチャネル７０内に受け入れ可能な複数の締結具２０６とを備える。加えて、必要であれば、ウインドバー２０２を屋根放出型電動換気扇１８または他の機器に固定するために、ねじ切りされたロッド２１２と、取付板２１４と、締結具２１６とを使用することができる。
【００４５】
分離および中央フィルタ３０および３２と障壁層３４は、適切な手法、例えば複数の締結具または接着剤によって、一緒に固定されることが好ましい。必要であれば、締結具は、図４および１９に図示したように、プラスチックのＩ−形状のとげ２１８の形態とすることができる。この代わりに、締結具は、図２０に示されたタイプであって、それぞれがステム２２０と、このステムの一端に係合可能なキャップナット２２２と、ステムの他端に固定的に固定された板２２４とを有するものでもよい。この板は、接着剤等によって障壁層３４の一方の側面に固定され、またステム２２０は、分離および中央フィルタ３０および３２を通して延びている。キャップナット２２２は、ステム２２０の一端に係合し、その結果、分離および中央フィルタ３０および３２は、キャップナットと板２２４との間に配置される。
【００４６】
２１内の締結具は、一対の噛み合い要素２３２を有するラチェット型締結具２３０であり、各要素は、頭部２３４とステム２３６とを有する。分離および中央フィルタ３０および３２と障壁層３４は、頭部２３４の間に配置される。必要であれば、封止ワッシャ２３８が一方の頭部２３４と分離フィルタ３０との間、並びに他方の頭部２３４と障壁層３４との間の双方に配置される。締結具２３０は、適切な素材、例えばナイロンで形成される。
【００４７】
図２２の実施例では、分離および中央フィルタ３０および３２と障壁層３４を一体的に固定するためにクリップ２４２が使用されている。このクリップ２４２は、積層複合体１２の側面の一方の長さの全てまたは幾分かに沿って延びることができる。必要であれば、他のクリップ２４２が積層複合体１２の他方の側面に沿って使用できる。変形例では、分離および中央フィルタ３０および３２と障壁層３４を一体的に固定するために接着剤が使用される。
【００４８】
従って、本発明による積層複合体１２は、比較的高い流出物吸収率を有し、また多量の流出物を保持することができる。この積層複合体１２は、フレームアセンブリ１４内に容易に固定されることができる。加えて、本発明によるフレームアセンブリ１４は、組立が簡単で、比較的製造にコスト効果的である。それはまた、高い位置に機器に対して即時に設置することができる。この流出物封込めアセンブリ１０は、換気システムまたは他の流出物ソースから放出された流出物が損傷を与える効果を最小化する。
【 ００４９】
前述した記述は、説明だけを目的としたものであって、この発明に与えられる保護の範囲を制限することを意図したものではない。
【図面の簡単な説明】
【図１】換気システムの放出型電動換気扇を囲む一実施例による流出物封込めアセンブリの斜視図である。
【図２】図１の流出物封込めアセンブリの積層複合体の、頂部および底部のスペーサ層を省いた斜視図であり、積層複合体の分離フィルタ、中央フィルタおよび障壁層を示す。それぞれは、重複する障壁層の第１および第２のセクションのエッジに整列した第１および第２のセクションを有して漏洩防止シームを形成する。
【図３】他の実施例による流出物封込めアセンブリの積層複合体の、頂部および底部のスペーサ層を省いた斜視図であり、それぞれがエッジを重複させてシームを形成する第１および第２のセクションを有する分離フィルタ、中央フィルタおよび障壁層を示す。
【図４】図１の流出物封込めアセンブリの積層複合体の模式的な断片図であり、流出物濾過および捕捉素材を示す。
【図５ａ】図１の流出物封込めアセンブリのフレームアセンブリのコーナ部材の１つの上部平面図であり、コーナ部材によって規定されるチャネルに関連した構造を破線で示す。
【図５ｂ】図５ａのコーナ部材の後方斜視図である。
【図５ｃ】図５ａのコーナ部材の前方斜視図である。
【図６】図５ａの６−６線に沿った断面図である。
【図７】図５ａの７−７線に沿った断面図である。
【図８】図５ａの８−８線に沿った断面図である。
【図９】図５ａのコーナ部材の長さ方向に沿った断面図である。
【図１０】図１の流出物封込めアセンブリのフレームアセンブリの一対のフレーム部材にスライド可能に係合するために、一対のナットおよびボルトによってコーナ部材に固定されたシート金属ストラップを有する図５ａ〜５ｃのコーナ部材の前方斜視図である。
【図１１】図１０のコーナ部材と、このコーナ部材にスライド可能に係合するフレームアセンブリのフレーム部材の１つの後方斜視図である。
【図１２】図１１のフレーム部材に係合する図１１のコーナ部材の断面図である。
【図１３】図１の流出物封込めアセンブリのフレームアセンブリのフレーム部材の１つの立側面図であり、またそれに係合する底部保持ポールの１つを示す。
【図１４】図１の流出物封込めアセンブリの斜視図であり、除去されたコーナ堰止め部材を有する放出型電動換気扇上の堰止め装置を分解図で示す。
【図１５】図１４の流出物封込めアセンブリの堰止め側部部材の１つの立側面図である。
【図１６】図１５の流出物封込めアセンブリのコーナの１つの部分斜視図であり、堰止めのコーナを示す。
【図１７】図１６の分解図である。
【図１８】図１の流出物封込めアセンブリの頂部保持ポールコネクタの１つの動作説明図であり、図１の流出物封込めアセンブリの一対の頂部保持ポールに係合した保持ポールコネクタを示す。
【図１９】流出物封込めアセンブリの積層複合体の破断斜視図であり、本発明の一実施例による、複数の層を一緒に固定するための、とげ形態の締結具を示す。
【図２０】流出物封込めアセンブリの積層複合体の破断斜視図であり、本発明の他の実施例による、複数の層を一緒に固定するための締結具を示す。
【図２１】流出物封込めアセンブリの積層複合体の破断斜視図であり、本発明の他の実施例による、複数の層を一緒に固定するための締結具を示す。
【図２２】流出物封込めアセンブリの積層複合体の破断斜視図であり、本発明の他の実施例による、複数の層を一緒に固定するためのエッジクリップを示す。
【図２３ａ】換気システムの放出型電動換気扇に隣接して高い位置に固定されるが換気扇を囲まない、本発明の他の実施例による流出物封込めアセンブリの斜視図である。
【図２３ｂ】放出換気扇に隣接して高い位置に固定された図２３ａの流出物封込めアセンブリの斜視図である。
【図２４】図２３ａ〜２３ｂの流出物封込めアセンブリの積層複合体の斜視図であり、シート状金属のシートの形態の火災遮蔽層を示す。
【図２５】本発明の他の実施例による、フレームアセンブリを高い位置に支持し、且つ放出型電動換気扇を囲むための、流出物封込めアセンブリの上昇支持アセンブリの斜視図である。
【図２６】図２５の上昇支持アセンブリのハードウエアの断片的な一部分解図である。
【図２７】図２５の上昇支持アセンブリのハードウエアおよび長尺支持体の１つの断片的な一部分解図である。
【図２８】図２５の上昇支持アセンブリの長尺支持体の１つの斜視図である。
【図２９】本発明の一実施例による、流出物封込めアセンブリのフレームアセンブリに固定された図２５の上昇支持アセンブリの斜視図である。
【図３０】図２９のフレームアセンブリのフレーム部材の１つと、図２９の上昇支持アセンブリの長尺支持体の１つと、長尺支持体にフレーム部材を固定するためのハードウエアの断片的な分解図である。
【図３１】換気システムの放出型電動換気扇を囲む本発明の他の実施例による流出物封込めアセンブリの斜視図であり、高い位置の放出型電動換気扇に固定された流出物封込めアセンブリを示し、また積層複合体と、この積層複合体を支持するための底部保持ポールを示すためにアセンブリから除去された頂部保持ポールとを示している。
【図３２】図３１の底部保持ポールおよび底部保持ポールタイの模式的形態の断片図である。
【図３３】放出型電動換気扇を囲む本発明の他の実施例による流出物封込めアセンブリの斜視図であり、フレームアセンブリからフィルタが吹き飛ばされることを防止するための本発明の他の実施例によるウインドバーアセンブリを含んでいる。
【図３４】図３３のアセンブリの放出型電動換気扇のコーナにウインドバーを固定するためのハードウエアの断片的分解図である。
【図３５】図３３の流出物封込めアセンブリのフレームアセンブリにウインドバーを固定するためのハードウエアの断片的分解図である。
【国際公開パンフレット】
2004500532.tif 000003
2004500532.tif 000004
2004500532.tif 000005
2004500532.tif 000006
2004500532.tif 000007
2004500532.tif 000008
2004500532.tif 000009
2004500532.tif 000010
2004500532.tif 000011
2004500532.tif 000012
2004500532.tif 000013
2004500532.tif 000014
2004500532.tif 000015
2004500532.tif 000016
2004500532.tif 000017
2004500532.tif 000018
2004500532.tif 000019
2004500532.tif 000020
2004500532.tif 000021
2004500532.tif 000022
2004500532.tif 000023
2004500532.tif 000024
2004500532.tif 000025
2004500532.tif 000026
2004500532.tif 000027
2004500532.tif 000028
2004500532.tif 000029
2004500532.tif 000030
2004500532.tif 000031
2004500532.tif 000032
2004500532.tif 000033
2004500532.tif 000034
2004500532.tif 000035
2004500532.tif 000036
2004500532.tif 000037
2004500532.tif 000038
2004500532.tif 000039
2004500532.tif 000040
2004500532.tif 000041
2004500532.tif 000042
2004500532.tif 000043
2004500532.tif 000044
2004500532.tif 000045
2004500532.tif 000046
2004500532.tif 000047
2004500532.tif 000048
2004500532.tif 000049
2004500532.tif 000050
2004500532.tif 000051
2004500532.tif 000052
【国際調査報告】
2004500532.tif 000053